(57)【特許請求の範囲】
【請求項１】
バックカバーにサラウンドを介してジョイントを取り付け、このジョイントにマグネット，ヨーク，プレート，ポールピース等で構成された磁気回路を取り付け、ボイスコイルを取り付けた振動カバーをボイスコイルが磁気回路の磁気ギャップに収まるように取り付けた体感音響装置において、
サラウンド（２）はゴムで成形し、
前記成形はサラウンド（２）とジョイント（３）とを一体に成形することを特徴とする体感音響装置。
【請求項２】
ジョイント（３）の周辺部に複数個の孔Ａを設け、
サラウンド（２）とジョイント（３）との一体成形時にはこれらの孔Ａを通してジョイント（３）の両面のゴムが連結結合することで、結合強度を高め、重量のある磁気回路の保持ができるようにしたことを特徴とする請求項１に記載の体感音響装置。
【請求項３】
バックカバー（５）とサラウンド（２）で形成されるバックチャンバー（１３）の容積を大きくし、
バックカバー（５）にダクト（１２）を取り付け、
振動カバー（４）の振動による体感音響とサラウンド（２）を振動板とし、バックチャンバー（１３）とポートからなるヘルムホルツの共鳴によるバスレフ型のシステムとしての低音を共有できることを特徴とする請求項１、２のいずれかに記載の体感音響装置。
【発明の詳細な説明】
【０００１】
【発明の属する技術分野】
本発明は、低音域の電気信号から体感音響振動を発生させる体感音響装置に関する。
【０００２】
【従来の技術】
図５は、従来例における体感音響装置の構造を示す図である。図において、磁気回路は、環状マグネット３１,ポールピース３７,上部プレート３８等から構成されている。この磁気回路は、ダンパー３２を介してケース３５に取り付けられている。
【０００３】
図６は、図５における従来例の体感音響装置で使用されているダンパーの平面図である。ダンパー３２は、弾性を有する金属板であり、２本の同心円上に等間隔で複数のスリット３３ａとスリット３３ｂが設けられている。
【０００４】
【発明が解決しようとする課題】
しかし、従来の体感音響装置は、磁気回路の保持に板バネ（蝶ダンパー）を使っていた。このため重量の大きい磁気回路保持に、硬い板バネを用いる為、共振周波数を低くできない、という課題があった。
【０００５】
本発明はこのような点に鑑みてなされたものであり、重量の大きい磁気回路を保持するためのダンパーを改善し、共振周波数を低くした体感音響装置を提供することを目的とする。
また、本発明の他の目的は、共振周波数を低くするとともに、低音再生機能を付与した体感音響装置を提供することである。
【０００６】
【課題を解決するための手段】
上記課題を解決するために本発明の体感音響装置は、バックカバーにサラウンドを介してジョイントを取り付け、このジョイントにマグネット，ヨーク，プレート，ポールピース等で構成された磁気回路を取り付け、ボイスコイルを取り付けた振動カバーをボイスコイルが磁気回路の磁気ギャップに収まるように取り付けた体感音響装置において、サラウンド２はゴムで成形し、前記成形はサラウンド２とジョイント３とを一体に成形することに特徴を有している。
【０００７】
また、本発明の体感音響装置は、ジョイント３の周辺部に複数個の孔Ａを設け、サラウンド２とジョイント３との一体成形時にはこれらの孔Ａを通してジョイント３の両面のゴムが連結結合することで、結合強度を高め、重量のある磁気回路の保持ができるようにしたことに特徴を有している。
【０００８】
さらに、本発明の体感音響装置は、バックカバー５とサラウンド２で形成されるバックチャンバー１３の容積を大きくし、バックカバー５にダクト１２を取り付け、振動カバー４の振動による体感音響とサラウンド２を振動板とし、バックチャンバー１３とポートからなるヘルムホルツの共鳴によるバスレフ型のシステムとしての低音を共有できることに特徴を有している。
【０００９】
【発明の実施の形態】
本発明の体感音響装置は、サラウンド２はジョイント３と一体成形したゴムでできているので、磁気回路の重さに対応してサラウンドの厚さをコントロールすることができ、振動周波数をコントロールすることが可能となり、板バネに比べ内部損失の大きいゴムのため異常共振が発生しない特徴をもっている。
【００１０】
【実施例】
以下、本発明の一実施例を図面に基づいて説明する。
【００１１】
（実施例１）
図１は、本発明の実施例１における体感音響装置の構造を示す図である。小型で高性能の磁気回路は、ネオジュウムマグネット１，坪型のヨーク９，リング状のプレート８，ポールピース７で構成されている。この磁気回路をバックカバー５に取り付けるためのジョイント３は、アップロール形状のサラウンド２にインサート成形で一体に取り付けられている。
【００１２】
ボイスコイル６を取り付けた振動カバー４は、ボイスコイル６が磁気回路の磁気ギャップに収まるように取り付けられる。上述のサラウンド２はロールの厚さが２−３ｍｍであり、重さが１００−３００ｇの磁気回路の振動を保持できる硬さを備え、ジョイント３と一体成形したゴムでできている。
【００１３】
図２は、本発明の体感音響装置で使用されるジョイントの平面図である。
ジョイント３の周辺部には複数個の孔Ａを設けており、サラウンド２との一体成形時にはこれらの孔Ａを通してジョイント３の両面のゴムが連結し、サラウンド２と強固に結合される。
【００１４】
ジョイント３の中心近傍の複数個の孔Ｃは、磁気回路をねじ止めするためのものである。また、ジョイント３の傾斜部分に設けられた孔Ｂは、サラウンド２とジョイント３とによって分離された上部空間と下部空間を連結するための通気孔である。
【００１５】
（実施例２）
図３は、本発明の実施例２における体感音響装置の構造を示す図である。サラウンド２にゴムを使うことにより、振幅が大きく取れるため、バックチャンバー１３の容積を大きくし、バックカバー５にダクト１２を取り付けている。振動カバー４の振動による体感音響とヘルムホルツの共鳴によるバスレフ型のシステムとしての低音とを共有できる。
【００１６】
図４は、本発明の体感音響装置の使用状態の一例を示す図である。図では、背凭れ部２１に体感音響装置１６が埋め込まれており、振動カバー４からの振動がソファーに座った人の背に伝わることになる。また、着座部２２に埋め込まれている体感音響装置１７にはダクト１２が設けられているので、着座部２２の下方に延びるダクト１２から改善された低音が放射され、この音響を併せ楽しむことができる。
【００１７】
例では、背凭れ部２１に体感音響装置１６、着座部２２には体感音響装置１７が埋め込まれているが、勿論、背凭れ部２１に体感音響装置１７、着座部２２には体感音響装置１６を埋め込んでも良い。体感音響装置の数も必要に応じて決めることができる。また、これらの体感音響装置を駆動するアンプ等の設置場所、レイアウト等は好み、使い勝手などにより決められる。
【００１８】
なお、実施例はサラウンド２としてアップロール形状のものを適用したが、本発明はこれに限定されることなく、ダウンロール形状のもの、コルゲーション形状のもの等も適用できることはいうまでもない。
【００１９】
【発明の効果】
以上説明したように、本発明の体感音響装置は、サラウンド２はゴムで成形し、前記成形はサラウンド２とジョイント３とを一体に成形したので、
また、ジョイント３の周辺部に複数個の孔Ａを設け、サラウンド２とジョイント３との一体成形時にはこれらの孔Ａを通してジョイント３の両面のゴムが連結結合するので、サラウンド２とジョイント３の結合が強固にかつ容易になされるとともに、磁気回路の重さに対応してサラウンド２の厚さを調整することにより、振動周波数をコントロールすることが可能となり、内部損失の大きいゴムを用いたことにより異常共振が発生しない。
さらに、バックチャンバー１３の容積を大きくし、バックカバー５にダクト１２を取り付け、振動カバー４の振動による体感音響とヘルムホルツの共鳴によるバスレフ型のシステムとしての低音を共有できるので、
ダクト１２を有する体感音響装置１７では、上記の効果に加え、ダクト１２から改善された低音が放射され、この音響を併せ楽しむことができる効果がある。
【図面の簡単な説明】
【図１】本発明の実施例１における体感音響装置の構造を示す図である。
【図２】本発明の体感音響装置で使用されるジョイントの平面図である。
【図３】本発明の実施例２における体感音響装置の構造を示す図である。
【図４】本発明の体感音響装置の使用状態の一例を示す図である。
【図５】従来例における体感音響装置の構造を示す図である。
【図６】従来例の体感音響装置で使用されているダンパーの平面図である。
【符号の説明】
１  マグネット
２  サラウンド
３  ジョイント
４  振動カバー
５  バックカバー
６  ボイスコイル
７  ポールピース
８  プレート
９  ヨーク
１０  キャップ
１１  ボイス端子
１２  ダクト
１３  バックチャンバー
１６  体感音響装置
１７  体感音響装置
２１  背凭れ部
２２  着座部
２３  肘掛け部
３１  環状マグネット
３２  ダンパー
３３ａ  スリット
３３ｂ  スリット
３５  ケース
３７  ポールピース
３８  上部プレート
【図１】
0004408587.tif 000002
【図２】
0004408587.tif 000003
【図３】
0004408587.tif 000004
【図４】
0004408587.tif 000005
【図５】
0004408587.tif 000006
【図６】
0004408587.tif 000007